(57)【要約】【課題】フォトレームに入れた写真や絵柄を動きや擬似的立体感のあるインパクトの強いものにするフォトフレームを提供する。【解決手段】フォトフレーム本体（１）に、写真、絵柄等の展示物（１０）を定位置に嵌置して表面又は表裏両面より展示することのできる展示物収容部（２）を備え、フォトフレーム本体（１）の展示物収容物（２）に、凸レンズを円柱状に引き伸ばしたものを縦に並べて板状に一体形成して構成された凸レンズ平板（１１）を設け、この凸レンズ平板（１１）と展示物（１０）との間に空間（Ｓ）が設けられ、凸レンズ平板（１１）と空間（Ｓ）を隔てて展示物がフレーム本体の表面又は表面両面に表示されるようにされていることを特徴としている。空間（Ｓ）は凸レンズの焦点距離以内の距離であること。【選択図】    図３
2004314384.tif 000002
【特許請求の範囲】
【請求項１】
フォトフレーム本体（１）に、写真、絵柄等の展示物（１０）を定位置に嵌置して表面又は表裏両面より展示することのできる展示物収容部（２）を備え、フォトフレーム本体（１）の展示物収容物（２）に、凸レンズを円柱状に引き伸ばしたものを縦に並べて板状に一体形成して構成された凸レンズ平板（１１）を設け、この凸レンズ平板（１１）と展示物（１０）との間に空間（Ｓ）が設けられ、凸レンズ平板（１１）と空間（Ｓ）を隔てて展示物がフレーム本体の表面又は表面両面に表示されるようにされていることを特徴とする可変フォトフレーム。
【請求項２】
凸レンズ平板（１１）と展示物（１０）との空間（Ｓ）は、少なくとも凸レンズの焦点距離以内の距離である請求項１記載の可変フォトフレーム。
【請求項３】
フォトフレーム本体（１）に、展示物（１０）を出し入れしうるように収容部（２）への挿入口を設けてなる請求項１記載の可変フォトフレーム。
【発明の詳細な説明】
【０００１】
【発明の属する技術分野】
本発明は、見る角度を変えることによって写真や、絵柄が動画のように変化して見えるようにした新しいタイプの可変フォトフレームに関する。
【０００２】
【従来の技術】
窓枠部に透明な平ガラスを嵌め、内側に写真等をガラスに密着するように装着し、裏側から押え板を当てがって固定し、壁等に立て掛けるフォトフレームは、写真等の絵柄をそのまま透明ガラスを透して見えるものであるから前方より見た場合、視線を変えても変化はなく、常に一定のままである。
【０００３】
一方視線を変えて見ると動画のように変化するものも存在するが、これは特殊なプリント板（例えばプラスチックの透明基板）に裏側に絵柄を動画的に側方へずらせて印刷し、表面に所定ピッチでブラインド線（ストライプ）を印刷し基板を傾けるか又は視線を変えることにより絵柄が変化するように構成したものである（例えば特許文献１、特許文献２参照）。
【０００４】
［特許文献１］  特開平９−１９７９９６号公報
［特許文献２］  実開平３−１４６９２号公報
【０００５】
【発明が解決しようとする課題】
しかし、従来の動画プリントにおいては、一枚のプリント板（透明板）に表裏別々に特殊なものを加工しなければならず通常の写真や絵柄をそのまま利用することはできなかった。
【０００６】
本発明は、上記に鑑みてなされたものであり、その目的とするところは、従来のフォトフレームを利用して簡単に写真や絵柄が動画的に変化することを可能にし、しかも通常の写真や絵柄をそのまま使用することを可能にしたフォトフレームを提供することにある。
【０００７】
【課題を解決するための手段】
上記課題を解決するために、本発明に係るフォトフレームは、フォトフレーム本体１に、写真、絵柄等の展示物１０を定位置に嵌置して表面又は表裏両面より展示することのできる展示物収容部２を備え、フォトフレーム本体１の展示物収容物２に、凸レンズを円柱状に引き伸ばしたものを縦に並べて板状に一体形成して構成された凸レンズ平板１１を設け、この凸レンズ平板１１と展示物１０との間に空間Ｓが設けられ、凸レンズ平板１１と空間Ｓを隔てて展示物がフレーム本体の表面又は表面両面に表示されるようにされていることを特徴とする。
【０００８】
上記の構成とすることにより、従来のフォトフレームと同様に、通常の写真や絵柄の展示物をそのままフォトフレーム本体に嵌置するだけで視線を左右側方へ変える毎に、凸レンズ平板を通して動画のように変化させることができる。
【０００９】
凸レンズ平板１１と展示物１０との空間Ｓは、少なくとも凸レンズの焦点距離以内の距離であることが好ましい。
【００１０】
さらに、フォトフレーム本体１に、展示物１０を出し入れしうるように収容部２への挿入口を設けている。
【００１１】
斯る構成とすることにより、所定の展示物にフレーム本体の側部等よりワンタッチで簡単迅速に装入し、又は取出すことができる。
【００１２】
【発明の実施の形態】
以下、本発明の実施例を添付の図面に基づいて説明する。
【００１３】
はじめに、凸レンズの性質及び本発明の動作原理について図５乃至図７を参照して説明する。
【００１４】
図７（ａ）に示すように、凸レンズはその性質上凸レンズの焦点（ｆ）の後方に物体（ｋ）を置いたとき、そのレンズの反対側の焦点（ｆ′）の後方に倒立実像（ｋ′）を結ぶ。しかし、物体（ｋ）を焦点（ｆ）より内側に置いたときは、図７（ｂ）に示すようにレンズの反対側に実物より大きな正立虚像（Ｋ）が見える。
【００１５】
この凸レンズを、円柱状に引き伸ばすことで、丸いレンズの片方の機能を制限し、さらに平行に少し重ねて一体化させ、この柱状のレンズを平行に多数並べて図５に示すような板状の凸レンズ群（凸レンズ平板１１）をつくる。これを図６のように視線に対してレンズ機能を生かせるように縦方向に立て、この凸レンズ平板１１の１つ１つの焦点より内側に正立虚像を得るように写真、絵柄等の物体（展示物１０）を配置し、視点（Ｒ２、Ｌ２）をレンズに対して横方向（Ｒ１、Ｌ１）へ移動してみると、図６に示すように１つ１つのレンズの中心点がテコの支点の如く物体とレンズと視点の各距離に比例して前記の正立虚像が動いて見える。その動きは、視線の動く方向とは反対の方向に物体が動いたように見え、その動く速度はレンズと物体の距離が短かいので視線の移動距離に対して物体の移動距離は短く、その分速く動いたように感じる。
【００１６】
この一連の現像は、日常生活で写真等を見る際に経験しないことなので、恰も写真の方が動いた感覚をもつ。
【００１７】
また、１つ１つのレンズは小さい（例えば０．３ミリメートル）ので、拡大率はさほど大きなものではなく、このことが、物体が視点に実際より少し近づいたように見え、それは恰も物体が少し浮いたような錯覚を見る側に与える。
【００１８】
次に、視点を固定し、レンズと物体を一体化して同時に与え、左右の端を横方向（左右）に揺らすことによって、前記と同様の結果が得られる。
【００１９】
さらに、肉眼（視点）は約６５ミリメートルの間隔で左右に２つあり、板状凸レンズ群の各凸レンズの彎曲表面の左右の曲面を２つの視線が夫々の方向からのみ見ていることになり、同じ物体の少しずれた部分を、左右の目が同時に見ることで擬以的立体感が生まれる。
【００２０】
本発明に係る可変フォトフレームは上記した原理を利用して写真や絵柄等を、動きや擬似的立体感のあるインパクトの強いものにすることを可能にしたものである。
【００２１】
図１乃至図４は、本発明に係るフォトフレームの具体例である。図１はアクリル樹脂で密閉型に形成したフォトフレームであり、図１（ａ）は全体の斜視図、同（ｂ）はＡ−Ａ線の断面図である。
【００２２】
図２は前面に窓孔のある開放型フォトフレームを示し、図２（ａ）は全体斜視図、同（ｂ）はＢ−Ｂ線の断面図である。図３はＣＤケースを飾りに使えるようにした出し入れ自在型のフォトフレームを示し、図３（ａ）はその全体斜視図であり、同（ｂ）は正面図、同（ｃ）はＣ−Ｃ線の断面図である。さらに、図４はフォトペンダントにしたものを示し、図４（ａ）は正面図、同（ｂ）は分解斜視図である。
【００２３】
図１に示す密閉型は、アクリル樹脂のフォトフレーム本体１を前後２つに分割１ａ、１ｂしたものを止具５で１つに結合したもので、密閉した空間の展示物収容部２を備え、前面はアクリル樹脂の透明板１ｃで覆われている。収容部２には透明板１ｃの裏側に密接して凸レンズ平板１１と、スぺーサ４及びこのスぺーサを介して展示物１０が嵌め込まれている。凸レンズ平板１１の内面と展示物１０とは所定の空間Ｓを隔てて定位置に不動状一体に保持されている。空間Ｓは凸レンズ平板によって正立虚像をつくるのに必要な間隔である。フレーム本体１の後面もアクリル樹脂の透明板１ｄで一体に覆われており、同様に凸レンズ平板と展示物を装着すれば両面を展示して使用することができる。
【００２４】
図２に示す開放型はフォトフレーム本体１に展示物収容部２と前面に窓孔６を設けたもので、この窓孔に凸レンズ平板１１が露出するように嵌め、その後方に空間Ｓを隔てて定位置に嵌止されるように展示物１０を嵌め、さらに後方より裏蓋７を着脱可能に嵌合して止具８で定着するものである。この開放型フォトフレームは、写真や絵柄等のシート物の展示物１０を好みにより自由に選定して装入し又は、取替えたりすることができる。
【００２５】
図３に示すＣＤケース用では、フォトフレーム本体１にＣＤケース用の挿入口２ａを有する収容部２と窓孔６を設け、窓孔６に凸レンズ平板１１が露出するように嵌めたものからなる。ＣＤケース２０はフォトフレーム本体１の側方の挿入口２ａより出し入れ自由に挿入し、好みにより自由に取り替えたりすることができる。凸レンズ平板１１と収容部２に嵌められたＣＤケース２０との間に間隔Ｓを設けている。挿入口２ａにはＣＤケースを取り出す際に、指先でつまみ易いように凹状の指掛け２ｂ、２ｃが設けられている。
【００２６】
凸レンズ平板１１は、定位置に固定して設けられるが、図３（ａ）に示すようにフォトフレーム本体１の他の側方部にレンズ挿入口２ｄを設けて、これよりスライド式に凸レンズ平板１１を出し入れ可能に設定することで種別の異なるレンズを使用することができる。
【００２７】
図４に示すフォトペンダントは、フォトフレーム本体１をペンダント用に小さく形成して本体外面に吊環９を設けたものである。内部構造は基本的には殆んど前記と同様であるため、詳細は省略するが、図４（ｂ）に示すようにフォトフレーム本体１に凸レンズ平板１１とスペーサ４を介して写真等の展示物１０を嵌め、裏側から蓋７１を取付けたものである。スぺーサ４により凸レンズ平板１１と展示物１０の間に空間Ｓを設けること、及びペンダントの表面に凸レンズ平板１１を露出することにより、凸レンズ平板１１を通して展示物１０が表示される。
【００２８】
本発明に係る可変フォトフレームは、凸レンズ平板のサイズや厚み、凸レンズ間のピッチ及び写真、絵柄等展示物との距離を変えたものを作ることによって、動きや見え方が目的に応じて自由に変えることができる。
【００２９】
【発明の効果】
本発明に係る可変フォトフレームは上記の構成とすることによって、フォトフレームに装入される写真や絵柄、印刷物等の展示物を特別に加工したものにしなくても、動きや擬似的立体感のあるインパクトの強いものにすることができる。
【００３０】
また、このようなフォトフレームは、ＣＤケースのような表面に写真や絵柄等を表示したものを可変フォトフレームに入れて展示物に利用することができ、フォトペンダント等多目的に利用することができる。
【図面の簡単な説明】
【図１】本発明に係る可変フォトフレームの実施例を示すもので、（ａ）は全体斜視図、（ｂ）は同図Ａ−Ａ線の断面図である。
【図２】本発明の第２実施例を示し、（ａ）はその全体斜視図、（ｂ）は同図Ｂ−Ｂ線の断面図である。
【図３】本発明の第３実施例で、（ａ）はその全体斜視図、（ｂ）は正面図、（ｃ）は（ａ）におけるＣ−Ｃ線の断面図である。
【図４】本発明の第４実施例を示し、（ａ）は正面図、（ｂ）は分解斜視図である。
【図５】凸レンズ平板の一部を拡大した斜視図である。
【図６】本発明の動作原理の説明図である。
【図７】凸レンズの説明図である。
【符号の説明】
１      フォトフレーム本体
２      展示物収容部
３      挿入口
１０    展示物
１１    凸レンズ平板
Ｓ      空間（間隔）
【図１】
2004314384.tif 000003
【図２】
2004314384.tif 000004
【図３】
2004314384.tif 000005
【図４】
2004314384.tif 000006
【図５】
2004314384.tif 000007
【図６】
2004314384.tif 000008
【図７】
2004314384.tif 000009